(57)【要約】  息苦しさを解消しつつ喉の乾燥を防ぐことができるマスクを提供する。マスク１は、本体部１０、及びパッチ部材２２，２４を備えている。本体部１０は、装着者の口を覆う。本体部１０は、開口部１２，１４を有する。本体部１０には、開口部１２，１４を塞ぐようにパッチ部材２２，２４が貼付されている。パッチ部材２２，２４は、本体部１０から剥離可能に設けられている。
2015125201.tif 000002
【特許請求の範囲】
【請求項１】
開口部を有し、装着者の口を覆う本体部と、
前記開口部を塞ぐように、前記本体部に貼付されたパッチ部材と、を備え、
前記パッチ部材は、前記本体部から剥離可能に設けられていることを特徴とするマスク。
【請求項２】
請求項１に記載のマスクにおいて、
前記本体部は、複数の前記開口部を有するマスク。
【請求項３】
請求項２に記載のマスクにおいて、
前記複数の開口部のそれぞれを塞ぐように、複数の前記パッチ部材が前記本体部に貼付されているマスク。
【請求項４】
請求項２又は３に記載のマスクにおいて、
前記複数の開口部は、第１の開口部と、前記第１の開口部よりも小さい第２の開口部とを含むマスク。
【請求項５】
請求項１乃至４の何れかに記載のマスクにおいて、
前記パッチ部材は、前記本体部から剥離された後、前記本体部に再び貼付可能であるマスク。
【請求項６】
請求項１乃至５の何れかに記載のマスクにおいて、
前記本体部における前記開口部以外の部分は、前記装着者の口の少なくとも一部を覆うマスク。
【請求項７】
請求項１乃至６の何れかに記載のマスクにおいて、
前記パッチ部材には、図柄が描かれているマスク。
【請求項８】
請求項７に記載のマスクにおいて、
前記図柄は、動物、スイーツ、乗り物、又はキャラクターの図柄であるマスク。
【請求項９】
請求項１乃至８の何れかに記載のマスクにおいて、
前記本体部に固定され、前記装着者の顔から前記本体部を離間させた状態で当該本体部の形状を維持するための可塑性の線状部材を備えるマスク。
【請求項１０】
請求項９に記載のマスクにおいて、
前記線状部材は、前記本体部の上端に沿って設けられた第１の線状部材と、前記本体部の下端に沿って設けられた第２の線状部材とを含むマスク。
【請求項１１】
請求項９又は１０に記載のマスクにおいて、
前記線状部材は、前記本体部の左端に沿って設けられた第３の線状部材と、前記本体部の右端に沿って設けられた第４の線状部材とを含むマスク。
【請求項１２】
請求項１乃至１１の何れかに記載のマスクにおいて、
前記本体部に着脱可能に設けられた保湿材を備えるマスク。
【請求項１３】
請求項１２に記載のマスクにおいて、
前記保湿材は、前記本体部に貼付可能であるマスク。
【請求項１４】
請求項１２又は１３に記載のマスクにおいて、
前記本体部は、前記保湿材を収納するポケットを有するマスク。
【請求項１５】
請求項１４に記載のマスクにおいて、
前記本体部は、複数の前記ポケットを有するマスク。
【請求項１６】
請求項１２乃至１５の何れかに記載のマスクにおいて、
前記保湿材は、芳香成分を含有するマスク。
【請求項１７】
請求項１６に記載のマスクにおいて、
前記芳香成分は、ハーブの香りを発するものであるマスク。
【請求項１８】
請求項１２乃至１７の何れかに記載のマスクにおいて、
前記保湿材は、抗菌成分を含有するマスク。
【請求項１９】
請求項１８に記載のマスクにおいて、
前記抗菌成分は、タンニンであるマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、鼻及び口を含む顔面の対象部を覆う本体部と、本体部の左右両側に設けられ、耳に係止するための係止部とを備えている。本体部は、顔面と対面するインナー部と、インナー部を被覆する外装部とを有している。インナー部は、顔面の起伏に対応するように、カップ状の立体形状をしている。
【先行技術文献】
【特許文献】
【０００３】
【特許文献１】特開２００７−２１０３２号公報
【発明の概要】
【発明が解決しようとする課題】
【０００４】
特許文献１に記載されたマスクによれば、本体部によって鼻及び口が覆われるため、喉が乾燥するのを防ぐことができる。しかしながら、その一方で、かかるマスクを装着した状態では、呼吸が妨げられるため、息苦しくなるという問題がある。【０００５】
本発明は、上記課題に鑑みてなされたものであり、息苦しさを解消しつつ喉の乾燥を防ぐことができるマスクを提供することを目的とする。
【課題を解決するための手段】
【０００６】
本発明によるマスクは、開口部を有し、装着者の口を覆う本体部と、上記開口部を塞ぐように、上記本体部に貼付されたパッチ部材と、を備え、上記パッチ部材は、上記本体部から剥離可能に設けられていることを特徴とする。【０００７】
このマスクにおいては、本体部によって装着者の口が覆われるため、喉が乾燥するのを防ぐことができる。また、本体部には、開口部が設けられており、その開口部を塞ぐようにパッチ部材が貼付されている。このパッチ部材は、本体部から剥離可能に設けられている。ここで、剥離可能とは、装着者が本体部を損傷することなく容易にパッチ部材を剥がせるということである。このため、装着者は、パッチ部材を剥離することにより、開口部を開放することができる。開放された開口部は、吸気及び呼気の経路となる。これにより、装着者は、呼吸をし易くなるため、息苦しさから免れることができる。
【発明の効果】
【０００８】
本発明によれば、息苦しさを解消しつつ喉の乾燥を防ぐことができるマスクが実現される。
【図面の簡単な説明】
【０００９】
【図１】本発明によるマスクの第１実施形態を示す正面図である。
【図２】図１のマスクにおいてパッチ部材が剥離された状態を示す正面図である。
【図３】本発明によるマスクの第２実施形態を示す背面図である。
【図４】本発明によるマスクの第３実施形態を示す背面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるマスクの第１実施形態を示す正面図である。マスク１は、本体部１０、及びパッチ部材２２，２４を備えている。本体部１０は、シート状をしており、装着者の目、鼻及び口のうち、鼻及び口のみ、あるいは口のみを覆う。図１においては、本体部１０の外側の面、すなわち装着者の顔に対向する面（内側の面）とは反対側の面が示されている。本体部１０は、通気性を有する材料からなる。かかる材料としては、例えば、不織布又は紙を用いることができる。
【００１２】
本体部１０には、複数の開口部１２，１４が形成されている。具体的には、４つの開口部１２（第１の開口部）と、２つの開口部１４（第２の開口部）とが形成されている。開口部１２は、概ね、装着者の鼻にも口にも重ならない部分に位置している。開口部１４は、概ね、装着者の口に重なる部分に位置している。本実施形態において開口部１２，１４の形状は、何れも円形である。ただし、開口部１４は、開口部１２よりも小さい。
【００１３】
本体部１０には、開口部１２，１４を塞ぐようにパッチ部材２２，２４が貼付されている。パッチ部材２２，２４は、本体部１０の外側の面に貼付されている。これらのパッチ部材２２，２４は、複数の開口部１２，１４のそれぞれを塞ぐように設けられている。具体的には、４つの開口部１２に対応する４つのパッチ部材２２と、２つの開口部１４に対応する２つのパッチ部材２４とが設けられている。パッチ部材２２，２４は、開口部１２，１４の全体を塞ぐことができ、かつ互いに重ならないような大きさ及び形状をしている。本実施形態においてパッチ部材２２，２４の形状は、何れも円形である。パッチ部材２２，２４の材料としては、例えば、不織布又は紙を用いることができる。
【００１４】
パッチ部材２２，２４は、本体部１０から剥離可能に設けられている。各パッチ部材２２，２４は、その全体を剥離することは勿論、その一部のみを剥離することもできる。パッチ部材２２，２４は、本体部１０から剥離された後、本体部１０に再び貼付可能である。このように剥離可能でかつ再貼付可能なパッチ部材２２，２４は、例えば、パッチ部材２２，２４の周縁部（本体部１０に接触する部分）に適度な粘着力を有する粘着剤を塗布しておき、当該粘着剤を介してパッチ部材２２，２４を本体部１０に貼付することにより実現することができる。
【００１５】
図２は、マスク１においてパッチ部材２２，２４が剥離された状態を示す正面図である。パッチ部材２２，２４が剥離されることにより、開口部１２，１４は開放される。このとき、装着者の口の少なくとも一部は、本体部１０における開口部１２，１４以外の部分によって覆われる。図２において、一点鎖線Ｌ１で囲まれた部分が、概ね、装着者の口に重なる部分である。このように、開口部１２，１４が開放された状態においても、装着者の口全体が露出することのない構造となっている。
【００１６】
図１に戻って、パッチ部材２２，２４には、図柄が描かれていてもよい。かかる図柄としては、例えば、動物、スイーツ（デザート）、乗り物、又は、アニメや漫画等のキャラクターの図柄が挙げられる。
【００１７】
また、本体部１０には、線状部材３２，３４，３６，３８が固定されている。これらの線状部材３２，３４，３６，３８は、可塑性を有し、装着者の顔から本体部１０を離間させた状態で本体部１０の形状を維持するためのものである。線状部材３２，３４，３６，３８の材料としては、例えば、金属又は樹脂を用いることができる。
【００１８】
線状部材３２（第１の線状部材）は、本体部１０の上端に沿って延在している。線状部材３４（第２の線状部材）は、本体部１０の下端に沿って延在している。線状部材３６（第３の線状部材）は、本体部１０の左端に沿って延在している。また、線状部材３８（第４の線状部材）は、本体部１０の右端に沿って延在している。線状部材３２は、例えば、本体部１０の上端付近を袋状に形成し、その中に収容すればよい。線状部材３４，３６，３８についても同様である。
【００１９】
さらに、本体部１０には、当該本体部１０を装着者の顔に固定するための固定部４０が取り付けられている。本実施形態において固定部４０は、装着者の耳に掛けられる紐状部材である。かかる固定部４０としては、例えば、ゴム紐を用いることができる。
【００２０】
マスク１の効果を説明する。マスク１においては、本体部１０によって装着者の口が覆われるため、喉が乾燥するのを防ぐことができる。また、本体部１０には、開口部１２，１４が設けられており、開口部１２，１４を塞ぐようにパッチ部材２２，２４が貼付されている。パッチ部材２２，２４は、本体部１０から剥離可能に設けられている。このため、装着者は、パッチ部材２２，２４を剥離することにより、開口部１２，１４を開放することができる。開放された開口部１２，１４は、吸気及び呼気の経路となる。これにより、装着者は、呼吸をし易くなるため、息苦しさから免れることができる。したがって、息苦しさを解消しつつ喉の乾燥を防ぐことができるマスク１が実現されている。
【００２１】
かかる構成により、マスク１は、パッチ部材２２，２４が貼付された状態（開口部１２，１４が閉塞された状態）と、パッチ部材２２，２４が剥離された状態（開口部１２，１４が開放された状態）とで２通りの使い方が可能である。これにより、装着者にとっての利便性が飛躍的に高まる。
【００２２】
例えば、装着者は、起きている間はパッチ部材２２，２４が貼付された状態でマスク１を使用し、寝ている間はパッチ部材２２，２４が剥離された状態でマスク１を使用することができる。すなわち、起きている間は息苦しくなっても適宜マスクを着脱することができるのに対し、寝ている間はそうすることができない。それゆえ、起きている間は、喉の乾燥防止を優先してパッチ部材２２，２４が貼付された状態でマスク１を使用する一方で、寝ている間は、呼吸の容易性を優先してパッチ部材２２，２４が剥離された状態でマスク１を使用することができる。
【００２３】
また、装着者は、空気の乾燥の程度が比較的大きい室外では、喉の乾燥防止を優先してパッチ部材２２，２４が貼付された状態でマスク１を使用する一方で、空気の乾燥の程度が比較的小さい室内では、呼吸の容易性を優先してパッチ部材２２，２４が剥離された状態でマスク１を使用するということもできる。
【００２４】
このように２通りの使い方が可能であるため、マスク１は、長時間にわたって使用するのに適しており、経済的である。
【００２５】
さらに、各パッチ部材２２，２４は、その一部のみを剥離することが可能である。このため、各開口部１２，１４の一部のみを開放させることが可能となる。したがって、装着者は、各開口部１２，１４における開放される部分の面積を変えることにより、喉の乾燥防止と呼吸の容易性とのバランスを調整することができる。
【００２６】
本体部１０には、複数の開口部１２，１４が設けられている。このため、装着者は、開放される開口部１２，１４の個数を変えることにより、喉の乾燥防止と呼吸の容易性とのバランスを調整することができる。
【００２７】
複数の開口部１２，１４のそれぞれを塞ぐように、複数のパッチ部材２２，２４が設けられている。すなわち、各開口部１２，１４に対して個別にパッチ部材２２，２４が設けられている。これにより、各開口部１２，１４の開放（パッチ部材２２，２４の剥離）を互いに独立して行えるため、開放される開口部１２，１４の個数を容易に変えることができる。
【００２８】
本体部１０には、大きさが相異なる開口部１２と開口部１４とが設けられている。このため、装着者は、開口部１２又は開口部１４の何れを開放させるかによっても、喉の乾燥防止と呼吸の容易性とのバランスを調整することができる。
【００２９】
パッチ部材２２，２４は、本体部１０から剥離された後も、本体部１０に再び貼付可能である。このため、装着者は、パッチ部材２２，２４が貼付された状態での使用と、パッチ部材２２，２４が剥離された状態での使用とを交互に繰り返すことができる。
【００３０】
本体部１０は、開口部１２，１４以外の部分が装着者の口の少なくとも一部を覆うように構成されている。このため、開口部１２，１４が開放された状態においても、装着者の口全体が露出することがなく、喉の乾燥防止効果が保たれる。
【００３１】
パッチ部材２２，２４に図柄が描かれている場合、マスク１のデザイン性を向上させ、その商品価値を高めることができる。また、デザイン性の向上により、普段はマスクをしたがらない人であっても、気軽に装着できるようになる。さらに、パッチ部材２２，２４を宣伝媒体として用いることにより、マスク１の低価格化を図ることも可能である。
【００３２】
特に、動物、スイーツ、乗り物、又はキャラクターの図柄は、子供の関心を強く惹く。そのため、これらの図柄がパッチ部材２２，２４に描かれている場合、子供が嫌がらずにマスク１を装着し易くなる。
【００３３】
また、本体部１０には、線状部材３２，３４，３６，３８が設けられている。このため、装着者の顔から本体部１０を離間させた状態で本体部１０の形状を維持することができる。それにより、装着者の顔と本体部１０との間に適度な空間を形成し、吸気及び呼気の経路を確保することができる。特に本実施形態においては、本体部１０の上下左右に線状部材３２，３４，３６，３８が設けられているため、本体部１０の形状設定の自由度が高く、吸気及び呼気の経路を確保し易い。
（第２実施形態）
【００３４】
図３は、本発明によるマスクの第２実施形態を示す背面図である。マスク２は、本体部１０、パッチ部材２２，２４及び固定部４０に加えて、保湿機能を有する保湿材５２を備えている。本実施形態においては、２つの保湿材５２が設けられている。保湿材５２は、本体部１０に着脱可能に設けられている。保湿材５２は、本体部１０よりも小さいシート状をしており、本体部１０に貼付可能である。具体的には、保湿材５２は、その片面に粘着剤が塗布されており、本体部１０に貼付することも、本体部１０から剥離することも可能である。
【００３５】
この保湿材５２は、本体部１０の任意の位置に貼付することができる。保湿材５２は、本体部１０の外側の面に貼付してもよいし、内側の面に貼付してもよい。また、保湿材５２は、本体部１０における開口部１２，１４以外の部分に貼付してもよいし、開口部１２，１４の一部又は全体を塞ぐように貼付してもよい。図３は、本体部１０の左右を分断する中心線Ｌ２上に２つの保湿材５２が貼付された例を示している。同図においては、本体部１０の内側の面が示されており、当該面に保湿材５２が貼付されている。図中の上側の保湿材５２は、概ね、装着者の鼻と口の間の領域に重なる部分に位置している。また、下側の保湿材５２は、概ね、装着者の口の下の領域に重なる部分に位置している。
【００３６】
保湿材５２としては、例えば、保湿成分を含有する液体を含浸させた不織布を用いることができる。保湿成分としては、例えば、コラーゲン、ヒアルロン酸、グリセリン類が挙げられる。
【００３７】
保湿材５２には、保湿成分と共に、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。マスク２のその他の構成は、マスク１と同様である。
【００３８】
マスク２の効果を説明する。マスク２においては、保湿材５２が設けられている。このため、喉の乾燥をより効果的に防ぐことができる。しかも、この保湿材５２は、着脱可能に設けられている。これにより、マスク２は、保湿材５２が取り付けられた状態でも、取り外された状態でも使用することができるため、装着者にとっての利便性が高まる。例えば、装着者は、開口部１２，１４がパッチ部材２２，２４によって閉塞されているときは保湿材５２を取り外してマスク２を使用する一方で、開口部１２，１４が開放されているときは保湿材５２を取り付けてマスク２を使用することができる。
【００３９】
さらに、保湿材５２は、本体部１０に貼付可能であるため、本体部１０への着脱が容易である。また、保湿材５２を本体部１０の任意の位置に貼付することができるため、装着者は、本体部１０に取り付けられた保湿材５２の位置を変えることにより、保湿の程度を調整することができる。
【００４０】
保湿材５２は、複数設けられている。このため、装着者は、本体部１０に取り付けられた保湿材５２の個数を変えることにより、保湿の程度を調整することができる。ただし、保湿材５２は、１つだけ設けられてもよい。
【００４１】
保湿材５２が芳香成分を含有する場合、当該成分が呼吸時に鼻孔に吸い込まれることにより、装着者は、より快適にマスク２を使用することができる。保湿材５２が抗菌成分を含有する場合、吸気中や呼気中の雑菌が繁殖するのを抑制することができるため、装着者は、より衛生的にマスク２を使用することができる。マスク２のその他の効果は、マスク１について説明したとおりである。
（第３実施形態）
【００４２】
図４は、本発明によるマスクの第３実施形態を示す背面図である。マスク３は、本体部１０、パッチ部材２２，２４及び固定部４０に加えて、保湿機能を有する保湿材５４を備えている。本実施形態においては、２つの保湿材５４が設けられている。保湿材５４は、本体部１０に着脱可能に設けられている。具体的には、本実施形態の本体部１０はポケット１６を有しており、このポケット１６内に保湿材５４が出入自由に収納されている。保湿材５４は、本体部１０よりも小さいシート状をしている。保湿材５４としては、保湿材５２と同様、保湿成分を含有する液体を含浸させた不織布を用いることができる。保湿材５４に芳香成分及び／又は抗菌成分が含有されていてもよいことは、保湿材５２と同様である。
【００４３】
ポケット１６は、本体部１０の任意の位置に設けることができる。ポケット１６は、本体部１０の外側の面に設けてもよいし、内側の面に設けてもよい。図４は、本体部１０の左右を分断する中心線Ｌ２上に２つのポケット１６が設けられた例を示している。同図においては、本体部１０の内側の面が示されており、当該面にポケット１６が設けられている。図中の上側のポケット１６は、概ね、装着者の鼻と口の間の領域に重なる部分に位置している。また、下側のポケット１６は、概ね、装着者の口の下の領域に重なる部分に位置している。
【００４４】
ポケット１６の材料としては、例えば不織布を用いることができる。ポケット１６は、左右両端及び下端が本体部１０に接着される一方で、上端は本体部１０に接着されていない。したがって、ポケット１６は、その上端から保湿材５４を出し入れすることが可能な構造をしている。マスク３のその他の構成は、マスク１と同様である。
【００４５】
マスク３の効果を説明する。マスク３においては、保湿材５４が設けられている。このため、喉の乾燥をより効果的に防ぐことができる。しかも、この保湿材５４は、着脱可能に設けられている。これにより、マスク３は、保湿材５４が取り付けられた状態でも、取り外された状態でも使用することができるため、装着者にとっての利便性が高まる。例えば、装着者は、開口部１２，１４がパッチ部材２２，２４によって閉塞されているときは保湿材５４を取り外してマスク３を使用する一方で、開口部１２，１４が開放されているときは保湿材５４を取り付けてマスク３を使用することができる。
【００４６】
本体部１０は、保湿材５４を収納するポケット１６を有している。このため、保湿材５４の着脱を容易に行うことができる。さらに、本実施形態においては、複数のポケット１６が設けられている。このため、装着者は、本体部１０に取り付けられた保湿材５４の個数や位置を変えることにより、保湿の程度を調整することができる。ただし、ポケット１６は、１つだけ設けられてもよい。マスク３のその他の効果は、マスク１及びマスク２について説明したとおりである。
【００４７】
本発明によるマスクは、上記実施形態に限定されるものではなく、様々な変形が可能である。例えば、上記実施形態においては、複数の開口部が設けられた例を示した。しかし、１つの開口部のみが設けられてもよい。パッチ部材についても同様である。
【００４８】
上記実施形態においては、１つの開口部に対して１つのパッチ部材が設けられた例を示した。しかし、複数の開口部に対して１つのパッチ部材が設けられてもよい。すなわち、パッチ部材は、複数の開口部を同時に塞ぐものであってもよい。
【００４９】
上記実施形態においては、４つの線状部材３２，３４，３６，３８が設けられた例を示した。しかし、これらの線状部材の一部のみが設けられた構成としてもよい。例えば線状部材３２，３４のみが設けられた構成、あるいは線状部材３６，３８のみが設けられた構成等が考えられる。また、線状部材３２，３４，３６，３８の何れも設けない構成としてもよい。
【００５０】
上記実施形態においては、パッチ部材２２，２４が本体部１０の外側の面に貼付された例を示した。しかし、パッチ部材２２，２４は、本体部１０の内側の面に貼付されてもよい。
【００５１】
上記実施形態においては、開口部１２，１４の形状が円形である場合の例を示した。しかし、開口部１２，１４の形状は、任意であり、例えば、矩形、星形又はハート形であってもよい。パッチ部材２２，２４の形状についても同様である。
【符号の説明】
【００５２】
１  マスク
２  マスク
３  マスク
１０  本体部
１２  開口部（第１の開口部）
１４  開口部（第２の開口部）
１６  ポケット
２２  パッチ部材
２４  パッチ部材
３２  線状部材（第１の線状部材）
３４  線状部材（第２の線状部材）
３６  線状部材（第３の線状部材）
３８  線状部材（第４の線状部材）
４０  固定部
５２  保湿材
５４  保湿材
【図１】
2015125201.tif 000003
【図２】
2015125201.tif 000004
【図３】
2015125201.tif 000005
【図４】
2015125201.tif 000006
【国際調査報告】
2015125201.tif 000007
2015125201.tif 000008
2015125201.tif 000009
2015125201.tif 000010